(57)【要約】      （修正有）【課題】使用の利便性を向上させた汚物等の処理袋を提供する。【解決手段】内部に収容空間を形成した耐水性を有する第一の処理袋本体１と、第一の処理袋本体１を内部に収容した水溶性の第二の処理袋本体２とを備える。第二の処理袋本体２のシート基材で、第一の処理袋本体を前後から挟み込み、第一の処理袋本体を第二の処理袋本体にて覆う。処理物を収容した際に、第一の処理袋本体１が表出する状態となるように第一の処理袋本体１と第二の処理袋本体２とを反転可能に構成すると共に、第一の処理袋本体１と第二の処理袋本体２とを分離可能に接合する接合部３を有している。【選択図】図１
0003159714.tif 000002
【実用新案登録請求の範囲】
【請求項１】
内部に収容空間を形成した耐水性を有する第一の処理袋本体と、当該第一の処理袋本体を内部に収容した水溶性の第二の処理袋本体とを備える処理袋において、
処理物を収容した際に、前記第一の処理袋本体が表出する状態となるように当該第一の処理袋本体と前記第二の処理袋本体とを反転可能に構成すると共に、
前記第一の処理袋本体と前記第二の処理袋本体とを分離可能に接合する接合部を有していることを特徴とする処理袋。
【請求項２】
前記接合部を、前記第一の処理袋の開口部の近傍に設けていることを特徴とする請求項１記載の処理袋。
【請求項３】
複数の前記接合部を間欠的に設けていることを特徴とする請求項１又は２のいずれかに記載の処理袋。
【請求項４】
前記第二の処理袋本体の処理物側端を、前記第一の処理袋本体の処理物側端よりも処理物側に延出させた延出部を有していることを特徴とする請求項１乃至３のいずれかに記載の処理袋。
【請求項５】
前記延出部を、前記第一の処理袋本体の処理物側端の近傍にて折り返し可能に構成していることを特徴とする請求項１乃至４のいずれかに記載の処理袋。
【請求項６】
前記延出部の延出幅を５ｃｍ以上１０ｃｍ以下としていることを特徴とする請求項４又は５のいずれかに記載の処理袋。
【請求項７】
前記第二の処理袋本体が不透明であることを特徴とする請求項１乃至６のいずれかに記載の処理袋。
【請求項８】
請求項１乃至７のいずれかに記載の処理袋を分離可能に接合し、複数の処理袋の連続体を形成していることを特徴とする処理袋の連続体。
【請求項９】
前記第一の処理袋本体の開口部を閉塞する方向に複数の処理袋を接合し、複数の処理袋の連続体を形成していることを特徴とする請求項８記載の処理袋の連続体。
【請求項１０】
ミシン目線を用いて接合していることを特徴とする請求項８又は９のいずれかに記載の処理袋の連続体。
【請求項１１】
ロール状に巻いた状態で収容可能であることを特徴とする請求項８乃至１０のいずれかに記載の処理袋の連続体。
【考案の詳細な説明】
【技術分野】
【０００１】
本考案は、ペット、その他の汚物などの処理物を処理する際に利用するものである。
【背景技術】
【０００２】
従来、犬などのペットの飼い主は、散歩の際にペットが路上などに放置した汚物を処理しなければならない。かかる必要性から、汚物処理用の専用袋なども考案されているが（例えば、特許文献１を参照）、一般的には、家庭内にある紙袋などで代用されることも多い。飼い主は、シャベルなどを用いて汚物を拾い上げ、持参した紙袋やビニール袋などに収容して汚物を持ち帰る。更には、外から内部が見えない紙袋と水分が染み出さないビニール袋の両機能を利用するために、紙袋の中にビニール袋を重ねて使用する場合もある。
【先行技術文献】
【特許文献】
【０００３】
【特許文献１】実用新案登録第３０４６５６号公報
【考案の概要】
【考案が解決しようとする課題】
【０００４】
しかしながら、紙袋の中にビニール袋を重ねて使用しようとしても、当該袋を取り出す際や使用する際に紙袋がビニール袋から滑り落ちて分離してしまうことが多い。また、ビニール袋などは素材の特性から開口しにくい上に、袋を二重に重ねているため余計に内側の袋を開口しづらいという不具合が生じていた。
【課題を解決するための手段】
【０００５】
そこで、本考案は、内部に収容空間を形成した耐水性を有する第一の処理袋本体と、当該第一の処理袋本体を内部に収容した水溶性の第二の処理袋本体とを備える処理袋において、処理物を収容した際に、前記第一の処理袋本体が表出する状態となるように当該第一の処理袋本体と前記第二の処理袋本体とを反転可能に構成すると共に、前記第一の処理袋本体と前記第二の処理袋本体とを分離可能に接合する接合部を有していることを特徴とする。
【０００６】
これにより、第一の処理袋本体と第二の処理袋本体とをそれぞれに適した素材としながらも、重合した双方の処理袋本体を容易に開口することが可能となる。更には、当該接合部分を分離可能としているため、処理物を廃棄する際には、当該接合部分を分離して第二の処理袋本体と共に処理物を廃棄することができる。また、処理袋を介して処理物を手で捕獲した後、当該第一の処理袋本体と前記第二の処理袋本体とを反転させて第一の処理袋本体内に処理物を収めることができる。よって、スコップなどの特別な道具を必要とせず汚物などの処理物を簡便に処理することができる。
【０００７】
加えて、前記接合部を、前記第一の処理袋の開口部の近傍に設けることにより、開口動作を更に円滑に行うことが可能となる。
【０００８】
また、第一の処理袋本体と第二の処理袋本体との分離を簡便に行うためには、複数の前記接合部を間欠的に設けることも考えられる。
【０００９】
更に、前記第二の処理袋本体の処理物側端を、前記第一の処理袋本体の処理物側端よりも処理物側に延出させた延出部を設けることにより、当該延出部を処理物と使用者の手との間に介在させることで緩衝材としての機能を発揮させることができる。よって、汚物などの処理物の感触が手に伝わりにくく、不快感を緩和することが可能となる。
【００１０】
加えて、前記延出部を、前記第一の処理袋本体の処理物側端の近傍にて折り返し可能に構成することで、前記延出部を処理物に対して的確に当接させることが可能となる。
【００１１】
具体的には、前記延出部の延出幅を５ｃｍ以上１０ｃｍ以下とすることが望ましい。
更に、回収した処理物を外部から見えないようにするためには、前記第二の処理袋本体を不透明とすることが考えられる。
【００１２】
また、複数の処理袋を分離可能に接合し、複数の処理袋の連続体を形成しておくことで、個々の処理袋がバラけることなく整理した状態で保存や持ち運びをすることができる。
【００１３】
加えて、前記第一の処理袋本体の開口部を閉塞する方向に複数の処理袋を接合し、複数の処理袋の連続体を形成していることで、未使用時に開口部から異物が混入することや、開口部に不意の力が加わり、第一の処理袋本体と第二の処理袋本体とが分離してしまうことを防止することができる。
【００１４】
また、ミシン目線を用いて接合することにより、簡易な構成にて分離可能な接合を実現することができる。
【００１５】
更に、収容状態において、ロール状に巻いた状態で処理袋の連結体を収容可能とすることにより、順次、使用する処理袋を取出し易いため、使用の際の利便性を向上させることができる。
【考案の効果】
【００１６】
第一の処理袋本体と第二の処理袋本体とをそれぞれに適した素材としながらも、重合した双方の処理袋本体を容易に開口することが可能となる。更には、当該接合部分を分離可能としているため、処理物を廃棄する際には、当該接合部分を分離して第二の処理袋本体と共に処理物を廃棄することができる。また、処理袋を介して処理物を手で捕獲した後、当該第一の処理袋本体と前記第二の処理袋本体とを反転させて第一の処理袋本体内に処理物を収めることができる。よって、スコップなどの特別な道具を必要とせず汚物などの処理物を簡便に処理することができる。
【図面の簡単な説明】
【００１７】
【図１】本考案の第一実施形態に係る処理袋Ａの連続体Ｂを示す斜視図。
【図２】第一実施形態に係る処理袋Ａの連続体Ｂを示す正面図。
【図３】第一実施形態に係る処理袋Ａの正面図。
【図４】第一実施形態に係る第一の処理袋本体１の正面図。
【図５】第一実施形態に係る第二の処理袋本体２の正面図。
【図６】第一実施形態に係る処理袋Ａの側面図。
【図７】第一実施形態に係る処理袋Ａの延出部２４を折り曲げた状態を示す側面図。
【図８】第一実施形態に係る処理袋Ａの斜視図。
【図９】第一実施形態に係る処理袋Ａの使用工程を示す斜視図。
【図１０】第一実施形態に係る処理袋Ａの使用工程を示す斜視図。
【図１１】第一実施形態に係る処理袋Ａの使用工程を示す斜視図。
【図１２】第一実施形態に係る処理袋Ａの使用工程を示す斜視図。
【図１３】第一実施形態に係る処理袋Ａの使用工程を示す斜視図。
【図１４】本考案の第二の実施形態に係る処理袋Ａの連続体ＢをケースＣに入れた状態を示す斜視図。
【図１５】第二の実施形態に係るケースＣを示す斜視図。
【図１６】第二の実施形態に係る処理袋Ａを折り畳んだ状態を示す平面図。
【図１７】第二の実施形態に係る処理袋Ａの連続体ＢをケースＣに入れた状態を示す平面図。
【考案を実施するための形態】
【００１８】
本考案に係る処理袋Ａは、ペットの汚物などの処理物を簡便に処理するために利用されるものである。第一実施形態においては、図１乃至図１３に示すように、内部に収容空間Ｓを形成した耐水性を有する第一の処理袋本体１と、当該第一の処理袋本体１を内部に収容した水溶性の第二の処理袋本体２とを備える処理袋Ａにおいて、処理物を収容した際に、前記第一の処理袋本体１が表出する状態となるように当該第一の処理袋本体１と前記第二の処理袋本体２とを反転可能に構成すると共に、前記第一の処理袋本体１と前記第二の処理袋本体２とを分離可能に接合する接合部３を有している。
【００１９】
更には、図１、図２に示すように、複数の処理袋Ａを分離可能に接合し、複数の処理袋Ａの連続体Ｂを形成している。
【００２０】
以下、各構成について詳述する。
【００２１】
第一の処理袋本体１は、図３、図４に示すように、耐水性と可撓性を有するシート基材にて形成した矩形状の袋部材である。尚、本実施形態においては、ビニル樹脂からなる薄手のシート基材を用いているが、ポリプロピレン、ポリエチレンなど合成樹脂からなるシート基材を用いてもよい。
【００２２】
具体的には、上部に上向き開口の開口部１１を具備し、当該開口部１１以外の側周部１３及び底部１２を熱溶着などにより閉塞することで、内部に処理物を収容する収容空間Ｓを形成している。更に、当該第一の処理袋本体１は、透明のシート基材にて構成しており、収容空間Ｓの内部を視認可能な構成としている。
【００２３】
第二の処理袋本体２は、可撓性を有する水溶性のシート基材にて形成した筒状部材である。尚、本実施形態においては、水に溶ける紙部材を用いている。
【００２４】
具体的には、第二の処理袋本体２は、図３、図５に示すように、二枚のシート基材の左右側周部２３を接着することにより、上向きに開口した上向き開口部２１と下向きに開口した下向き開口部２２を形成している。本実施形態においては、二枚のシート基材にて前記第一の処理袋本体１を前後から挟み込む状態として、前記開口部２１、２３以外の左右の側周部２３を端部にて接着している。
【００２５】
当該第二の処理袋本体２は、有色の不透明な素材にて構成しており、当該第二の処理袋本体２にて前記第一の処理袋Ａの前面及び後面の大部分を覆うことで、内部を視認できない構成としている。
【００２６】
更に、図６、図７に示すように、第二の処理袋本体２は、当該第二の処理袋本体２の処理物側端２ａを、前記第一の処理袋本体１の処理物側端１ａよりも処理物側に延出させた延出部２４を有している。この延出部２４は、前記第一の処理袋本体１の処理物側端１ａの近傍に設けた折返線２５にて折り返し可能に構成している。本実施形態においては、前記延出部２４の延出幅Ｗを略６ｃｍとしている。尚、当該延出幅Ｗを５ｃｍ以上１０ｃｍ以下としてもよい。
【００２７】
接合部３は、図３、図８に示すように、前記第一の処理袋本体１と前記第二の処理袋本体２とを分離可能に接合している。本実施形態においては、前記第一の処理袋Ａの開口部１１の近傍に複数の接合部３を間欠的に設けている。具体的には、前記開口部１１と平行に間隔をあけて５つの接合部３を設けている。これらの接合部３は、剥離可能な接着剤にて第一の処理袋本体１の外側面と前記第二の処理袋本体２の内側面とを接着することにより、両者を分離可能に接合している。
【００２８】
第一の処理袋本体１と前記第二の処理袋本体２とを接合する際には、前記第二の処理袋本体２の二枚のシート基材にて前記第一の処理袋Ａを挟みこむ状態で接合する。接合位置は、前記第一の処理袋本体１の開口部１１の端が、前記第二の処理袋本体２の上部開口部２１の端よりも突出する位置、更には、当該第二の処理袋本体２の処理物側端２ａが、前記第一の処理袋本体１の処理物側端１ａよりも処理物側に延出する位置にて両者を接合する。
【００２９】
本実施形態においては、図１、図２に示すように、上述の処理袋Ａを分離可能に接合し、複数の処理袋Ａの連続体Ｂを形成している。
【００３０】
具体的には、前記第二の処理袋本体２と、別の前記第二の処理袋本体２とをミシン目線Ｂ１を用いて分離可能に接合し、処理袋Ａの連続体Ｂを形成している。各々の処理袋Ａは、当該ミシン目線Ｂ１にて切り離すことにより、一枚ずつの処理袋Ａとして利用できる。
【００３１】
本実施形態においては、前記第二の処理袋本体２の反処理物側端２ａと、他の処理袋Ａの第二の処理袋本体２の処理物側端２ａとを接合することで、前記第一の処理袋本体１の開口部１１を閉塞する方向に複数の処理袋Ａを接合し、複数の処理袋Ａの連続体Ｂを形成している。
【００３２】
このように連続させた複数の処理袋Ａは巻き取られ、図１に示すように、ロール状に巻いた状態で収容可能としている。
【００３３】
次に、図１、図８乃至図１３を用いて、当該処理袋Ａの使用方法を説明する。
【００３４】
まずは、図１に示すように、ロール状に巻いた処理袋Ａの連続体Ｂからミシン目線Ｂ１に沿って一枚の処理袋Ａを切り離す。その後、図９に示すように、使用者側に表出している第二の処理袋本体２と一緒に第一の処理袋本体１の開口部１１を開口する。次に、図１０に示すように、第二の処理袋本体２の延出部２４を折返線２５に沿って折り畳む。そして、図１１に示すように、前記第一の処理袋Ａの開口部１１から手を入れ、前記延出部２４を介して処理物を握持し、処理物を収容空間Ｓの内部に収容する。その後、図１２、図１３に示すように、前記第一の処理袋本体１が表出する状態となるように当該第一の処理袋本体１と前記第二の処理袋本体２とを反転させる。これにより、第一の処理袋本体１の内に処理物及び第二の処理袋本体２が収容される。処理物を破棄する際には、前記第一の処理袋本体１と第二の処理袋本体２との接合部３を分離し、処理物と第二の処理袋本体２のみをトイレ等に捨てることができる。
【００３５】
以上のように、本実施形態の処理袋Ａは、内部に収容空間Ｓを形成した耐水性を有する第一の処理袋本体１と、当該第一の処理袋本体１を内部に収容した水溶性の第二の処理袋本体２とを備え、処理物を収容した際に、前記第一の処理袋本体１が表出する状態となるように当該第一の処理袋本体１と前記第二の処理袋本体２とを反転可能に構成すると共に、前記第一の処理袋本体１と前記第二の処理袋本体２とを分離可能に接合する接合部３を有している。
【００３６】
これにより、第一の処理袋本体１と第二の処理袋本体２とをそれぞれに適した素材としながらも、重合した双方の処理袋本体１、２を容易に開口することが可能となる。更には、当該接合部分を分離可能としているため、処理物を廃棄する際には、当該接合部３を分離して第二の処理袋本体２と共に処理物を廃棄することができる。また、処理袋Ａを介して処理物を手で捕獲した後、当該第一の処理袋本体１と前記第二の処理袋本体２とを反転させて第一の処理袋本体１内に処理物を収めることができる。よって、スコップなどの特別な道具を必要とせず汚物などの処理物を簡便に処理することができる。
【００３７】
加えて、前記接合部３を、前記第一の処理袋Ａの開口部１１の近傍に設けていることにより、開口動作を更に円滑に行うことが可能となる。
【００３８】
また、複数の前記接合部３を間欠的に設けていることで、第一の処理袋本体１と第二の処理袋本体２との分離を簡便に行うことができる。
【００３９】
更に、前記第二の処理袋本体２の処理物側端２ａを、前記第一の処理袋本体１の処理物側端１ａよりも処理物側に延出させた延出部２４を設けたことにより、当該延出部２４を処理物と使用者の手との間に介在させて緩衝材としての機能を発揮させることができる。よって、汚物などの処理物の感触が手に伝わりにくく、不快感を緩和することが可能となる。
【００４０】
加えて、前記延出部２４を、前記第一の処理袋本体１の処理物側端１ａの近傍にて折り返し可能に構成していることで、前記延出部２４を処理物に対して的確に当接させることが可能となる。
【００４１】
更に、前記第二の処理袋本体２を不透明な部材にて構成しているため、回収した処理物を外部から見えないようにできる。
【００４２】
また、複数の処理袋Ａを分離可能に接合し、複数の処理袋Ａの連続体Ｂを形成していることで、個々の処理袋Ａがバラけることなく整理した状態で保存や持ち運びをすることができる。
【００４３】
加えて、前記第一の処理袋本体１の開口部１１を閉塞する方向に複数の処理袋Ａを接合し、複数の処理袋Ａの連続体Ｂを形成していることで、未使用時に開口部１１から異物が混入することや、開口部１１に不意の力が加わり、第一の処理袋本体１と第二の処理袋本体２とが分離してしまうことを防止することができる。
【００４４】
また、複数の処理袋Ａをミシン目線Ｂ１を用いて接合していることにより、簡易な構成にて分離可能な接合を実現することができる。
【００４５】
更に、収容状態において、ロール状に巻いた状態で処理袋Ａの連結体を収容可能としていることにより、順次、使用する処理袋Ａを取出し易いため、使用の際の利便性を向上させることができる。
【００４６】
なお、本考案は、以上に詳述した実施形態に限られるものではない。
【００４７】
例えば、本実施形態においては、連続体Ｂをロール状にしているが、他の形状にして収容しておくことも考えられる。具体的には、図１４乃至図１７の第二実施形態に示すように、前記処理袋ＡをケースＣなどに折り畳んだ状態で収容してもよい。
【００４８】
ケースＣは、可撓性を有する筐体であり、その内部に処理袋Ａを収容する収容空間を形成している。このケースＣは、図１５に示すように処理袋Ａの幅方向に延びる取出口Ｃ１を中央位置に開口している。
【００４９】
処理袋Ａは、図１７に示すように、当該処理袋Ａを収容するケースＣが有する処理袋Ａの取出口Ｃ１の近傍に、前記ミシン目線Ｂ１を位置させた状態で収納可能である。具体的には、ミシン目線Ｂ１が取出口Ｃ１の近傍位置に配置されるように処理袋Ａの連続体Ｂを折り畳む。第二実施形態においては、ミシン目線Ｂ１が中央に位置するように折り畳む。これにより、処理袋Ａの切り離しが容易となる。
【００５０】
尚、処理袋Ａの構成は前記第一実施形態と同様である。図１４乃至図１７において第一実施形態と同様の構成には同じ符号を付している。
【００５１】
その他、各部の具体的構成についても上記実施形態に限られるものではなく、本考案の趣旨を逸脱しない範囲で種々変形が可能である。
【符号の説明】
【００５２】
Ａ・・・処理袋
Ｂ・・・処理袋の連続体
Ｂ１・・・ミシン目線
１・・・第一の処理袋本体
１ａ・・・処理物側端
２・・・第二の処理袋本体
２ａ・・・処理物側端
３・・・接合部
１１・・・開口部
２４・・・延出部
【図１】
0003159714.tif 000003
【図２】
0003159714.tif 000004
【図３】
0003159714.tif 000005
【図４】
0003159714.tif 000006
【図５】
0003159714.tif 000007
【図６】
0003159714.tif 000008
【図７】
0003159714.tif 000009
【図８】
0003159714.tif 000010
【図９】
0003159714.tif 000011
【図１０】
0003159714.tif 000012
【図１１】
0003159714.tif 000013
【図１２】
0003159714.tif 000014
【図１３】
0003159714.tif 000015
【図１４】
0003159714.tif 000016
【図１５】
0003159714.tif 000017
【図１６】
0003159714.tif 000018
【図１７】
0003159714.tif 000019
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
内部に収容空間を形成した耐水性を有する第一の処理袋本体と、当該第一の処理袋本体を内部に収容した水溶性の第二の処理袋本体とを備える処理袋において、
前記第二の処理袋本体を構成するシート基材にて、前記第一の処理袋本体を前後から挟み込む状態とし、当該第一の処理袋本体を前記第二の処理袋本体にて覆う構成とし、処理物を収容した際に、前記第一の処理袋本体が表出する状態となるように当該第一の処理袋本体と前記第二の処理袋本体とを反転可能に構成すると共に、
前記第一の処理袋本体と前記第二の処理袋本体とを分離可能に接合する接合部を有していることを特徴とする処理袋。
【請求項２】
前記接合部を、前記第一の処理袋本体の開口部の近傍に設けていることを特徴とする請求項１記載の処理袋。
【請求項３】
複数の前記接合部を間欠的に設けていることを特徴とする請求項１又は２のいずれかに記載の処理袋。
【請求項４】
前記第二の処理袋本体の処理物側端を、前記第一の処理袋本体の処理物側端よりも処理物側に延出させた延出部を有していることを特徴とする請求項１乃至３のいずれかに記載の処理袋。
【請求項５】
前記延出部を、前記第一の処理袋本体の処理物側端の近傍にて折り返し可能に構成していることを特徴とする請求項４に記載の処理袋。
【請求項６】
前記延出部の延出幅を５ｃｍ以上１０ｃｍ以下としていることを特徴とする請求項４又は５のいずれかに記載の処理袋。
【請求項７】
前記第二の処理袋本体が不透明であることを特徴とする請求項１乃至６のいずれかに記載の処理袋。
【請求項８】
請求項１乃至７のいずれかに記載の処理袋を、ミシン目線を用いて分離可能に接合し、複数の処理袋の連続体を形成していることを特徴とする処理袋の連続体。
【請求項９】
前記第一の処理袋本体の開口部を閉塞する方向に複数の処理袋を接合し、複数の処理袋の連続体を形成していることを特徴とする請求項８記載の処理袋の連続体。
【請求項１０】
ロール状に巻いた状態で収容可能であることを特徴とする請求項８又は９のいずれかに記載の処理袋の連続体。
【手続補正２】
【補正対象書類名】明細書
【補正対象項目名】０００５
【補正方法】変更
【補正の内容】
【０００５】
そこで、本考案は、内部に収容空間を形成した耐水性を有する第一の処理袋本体と、当該第一の処理袋本体を内部に収容した水溶性の第二の処理袋本体とを備える処理袋において、前記第二の処理袋本体を構成するシート基材にて、前記第一の処理袋本体を前後から挟み込む状態とし、当該第一の処理袋本体を前記第二の処理袋本体にて覆う構成とし、処理物を収容した際に、前記第一の処理袋本体が表出する状態となるように当該第一の処理袋本体と前記第二の処理袋本体とを反転可能に構成すると共に、前記第一の処理袋本体と前記第二の処理袋本体とを分離可能に接合する接合部を有していることを特徴とする。
【手続補正３】
【補正対象書類名】明細書
【補正対象項目名】０００７
【補正方法】変更
【補正の内容】
【０００７】
加えて、前記接合部を、前記第一の処理袋本体の開口部の近傍に設けることにより、開口動作を更に円滑に行うことが可能となる。
【手続補正４】
【補正対象書類名】明細書
【補正対象項目名】００１２
【補正方法】変更
【補正の内容】
【００１２】
また、複数の処理袋を、ミシン目線を用いて分離可能に接合し、複数の処理袋の連続体を形成しておくことで、個々の処理袋がバラけることなく整理した状態で保存や持ち運びをすることができる。
【手続補正５】
【補正対象書類名】明細書
【補正対象項目名】００１４
【補正方法】削除
【補正の内容】
【手続補正６】
【補正対象書類名】明細書
【補正対象項目名】００２７
【補正方法】変更
【補正の内容】
【００２７】
接合部３は、図３、図８に示すように、前記第一の処理袋本体１と前記第二の処理袋本体２とを分離可能に接合している。本実施形態においては、前記第一の処理袋本体１の開口部１１の近傍に複数の接合部３を間欠的に設けている。具体的には、前記開口部１１と平行に間隔をあけて５つの接合部３を設けている。これらの接合部３は、剥離可能な接着剤にて第一の処理袋本体１の外側面と前記第二の処理袋本体２の内側面とを接着することにより、両者を分離可能に接合している。
【手続補正７】
【補正対象書類名】明細書
【補正対象項目名】００３５
【補正方法】変更
【補正の内容】
【００３５】
以上のように、本実施形態の処理袋Ａは、内部に収容空間Ｓを形成した耐水性を有する第一の処理袋本体１と、当該第一の処理袋本体１を内部に収容した水溶性の第二の処理袋本体２とを備え、前記第二の処理袋本体２を構成するシート基材にて、前記第一の処理袋本体１を前後から挟み込む状態とし、当該第一の処理袋本体１を前記第二の処理袋本体２にて覆う構成とし、処理物を収容した際に、前記第一の処理袋本体１が表出する状態となるように当該第一の処理袋本体１と前記第二の処理袋本体２とを反転可能に構成すると共に、前記第一の処理袋本体１と前記第二の処理袋本体２とを分離可能に接合する接合部３を有している。
【手続補正８】
【補正対象書類名】明細書
【補正対象項目名】００３７
【補正方法】変更
【補正の内容】
【００３７】
加えて、前記接合部３を、前記第一の処理袋本体１の開口部１１の近傍に設けていることにより、開口動作を更に円滑に行うことが可能となる。
【手続補正９】
【補正対象書類名】明細書
【補正対象項目名】００４２
【補正方法】変更
【補正の内容】
【００４２】
また、複数の処理袋Ａを、ミシン目線を用いて分離可能に接合し、複数の処理袋Ａの連続体Ｂを形成していることで、個々の処理袋Ａがバラけることなく整理した状態で保存や持ち運びをすることができる。
【手続補正１０】
【補正対象書類名】明細書
【補正対象項目名】００４４
【補正方法】削除
【補正の内容】